(57)【特許請求の範囲】
【請求項１】
ＭＥＭＳマイクロフォンであって、
−  外部基準クロック信号を印加するための入力ピン（ＩＮ）と、
−  前記印加された外部基準クロック信号の周波数を検出するためのデジタル周波数検出器（ＤＥＴ）と、
−  複数の周波数閾値と、各々が前記周波数閾値のうちの１つに割当てられる複数のモード設定信号とを記憶するための内部メモリ（ＭＥＭ）と、
−  前記検出された周波数を前記記憶された周波数閾値と比較し、前記検出された周波数閾値に従って前記それぞれのモード設定信号を選択するように適合された評価回路（ＥＶＬ）と、
−  前記モード設定信号に従って前記マイクロフォンの動作を調節するための調節回路（ＡＤＪ）とを備える、ＭＥＭＳマイクロフォン。
【請求項２】
−  内部クロック（ＣＬＫＩＮＴ）を備え、
−  前記デジタル周波数検出器（ＤＥＴ）は、前記外部基準クロック信号を、前記内部クロック（ＣＬＫＩＮＴ）によって生成された基準としての内部クロック信号と比較して、前記比較の結果としてのモード信号を送るためのものであり、
−  前記評価回路（ＥＶＬ）は、前記モード信号を、閾値とモード設定データ（ＭＤ）の対応するセットとに割当てるように適合されている、請求項１に記載のＭＥＭＳマイクロフォン。
【請求項３】
前記デジタル周波数検出器（ＤＥＴ）は、
−  前記内部クロック信号をカウントすることにより、カウントされた内部クロック信号の値Ｎを提供するための第１のカウンタ（ＣＮＴ１）と、
−  前記外部基準クロック信号をカウントすることにより、カウントされた外部基準クロック信号の値Ｍを提供するための第２のカウンタ（ＣＮＴ２）と、
−  前記値Ｎが予め設定された数に達したときに、最新の前記値Ｍを記憶するための論理回路とを含み、
前記評価回路（ＥＶＬ）は、閾値を前記記憶された値Ｍに割当てるように適合されている、請求項２に記載のＭＥＭＳマイクロフォン。
【請求項４】
−  前記内部メモリ（ＭＥＭ）はモード設定データ（ＭＤ）の異なるセットを記憶し、各前記セットは周波数閾値（ＴＲ）に割当てられ、
−  前記モード設定データの各セットは動作モード（ＯＭ）を提供するように適合され、
−  前記モード設定データの所望のセットが割当てられた前記周波数閾値に従って前記外部基準クロック信号の前記周波数を選択することによって、所望の動作モードに設定可能である、請求項１〜３のうちいずれか１項に記載のＭＥＭＳマイクロフォン。
【請求項５】
ＭＥＭＳマイクロフォンを動作させる方法であって、
−  前記ＭＥＭＳマイクロフォンの入力ピンに外部クロック信号（ＣＬＫＥＸT）を印加するステップと、
−  前記ＭＥＭＳマイクロフォン内で前記印加された前記外部クロック信号の周波数を検出するステップと、
−  前記ＭＥＭＳマイクロフォンを動作させることにより、所望の動作モード（ＯＭ）に従って、モード設定データ（ＭＤ）を用いて少なくとも動作パラメータを調節するステップとを備え、
−  前記動作モードは、前記入力ピンに印加された前記外部クロック信号（ＣＬＫＥＸT）の対応する外部周波数を選択することによって設定される、方法。
【請求項６】
前記印加された前記外部クロック信号の周波数を検出するステップは、
−  時間ｔ０で手順を開始するステップと、
−  前記外部クロック信号（ＣＬＫＥＸT）のビートＭ（ｔ）をカウントするステップと、
−  時間ｔＸでビートの予め設定された値Ｎｘに達するまで前記マイクロフォンの内部クロック（ＣＬＫＩＮＴ）のビートＮ（ｔ）をカウントするステップと、
−  周波数閾値を前記値ＮＸに割当てるステップとを含む、請求項５に記載の方法。
【請求項７】
前記モード設定データのセットを前記検出された周波数に割当てるステップは、
−  前記検出された周波数を、前記マイクロフォンの内部メモリ内に記憶された閾値に割当てるステップと、
−  前記内部メモリ（ＭＥＭ）内に記憶された予め設定された関係に従って、前記内部メモリから取出した前記モード設定データのセットを前記閾値に割当てるステップとを含む、請求項６に記載の方法。
【請求項８】
−  前記内部クロックの周波数と標準クロックの周波数との差に従って、前記閾値を調整して前記周波数閾値を調節するステップを備え、
−  前記調節するステップは、前記ＭＥＭＳマイクロフォンの製造後１回行なわれ、
−  すべての閾値は、それぞれの較正データによって、同じ方法により１つのステップで調整または較正される、請求項７に記載の方法。
【請求項９】
前記調節するステップは、
−  前記ＭＥＭＳマイクロフォンのピンにおいて前記内部クロックの前記周波数を測定するステップと、
−  前記内部クロックの前記周波数を前記標準クロックの前記周波数と比較して不一致を特定するステップと、
−  較正データを前記不一致に割当てて前記較正データを前記内部メモリ内に記憶するステップとを含む、請求項８に記載の方法。
【請求項１０】
前記調節するステップは、
ａ）  前記ＭＥＭＳマイクロフォンの物理動作パラメータを選択するステップと、
ｂ）  外部クロック周波数を前記マイクロフォンの入力ピンに印加するステップと、
ｃ）  印加された外部クロック周波数に応じた前記パラメータの変化の仕方のマップを作成するステップと、
ｄ）  前記内部クロックの前記周波数を推定するステップと、
ｅ）  前記内部クロックの前記推定された周波数に従って前記周波数閾値を調整するように適合された前記マイクロフォンの前記内部メモリ内に、較正データのセットを入れるステップと、
ｆ）  選択された周波数閾値に従って外部クロック周波数を印加するステップと、
ｇ）  前記選択された周波数閾値周辺で前記外部クロックの前記周波数を掃引するステップと、
ｈ）  動作モードの変化が起りやすい、前記マイクロフォンの選択されたパラメータを測定するステップと、
ｉ）  前記選択された閾値周波数周辺で掃引している間、動作モードの変化に応じた前記選択されたパラメータの変化が検出されない場合、閾値調整データの新たなセットを作成および設定して、前記ステップｆ）〜ｈ）を繰返すステップと、
ｊ）  前記選択された閾値周波数において動作モードの変化に応じた前記選択されたパラメータの変化が検出された場合、最後に前記調整データを前記ＭＥＭＳマイクロフォンの前記内部メモリ内に記憶するステップとを含む、請求項８に記載の方法。
【発明の詳細な説明】
【背景技術】
【０００１】
電子機器において、ＭＥＭＳマイクロフォンは、電話、音声録音、音声チャットなど多くの異なる用途で使用可能であり、それぞれがノイズ、電力消費、およびディストーションの観点から異なる仕様を必要とする。機器内に追加のハードウェアを実装することによって、異なる仕様を合わせることができる。機器が携帯機器である場合、低い電力消費、限られた空間および機器面積が、同時に合わせなければならない主な要求事項である。
【０００２】
機器において単一のマイクロフォンを使用する必要がある場合、機器は、外部信号の条件および信号品質に対する要求に基づいて、異なる「モード」間で切替わるまたは切替えられることが可能でなければならない。
【発明の概要】
【発明が解決しようとする課題】
【０００３】
したがって、本発明の目的は、異なるモード間で切替可能なＭＥＭＳマイクロフォンを提供することである。別の目的は、この特徴を、追加のハードウェア無しで、および／または、マイクロフォンの設計を変更しすぎることなく提供することである。
【０００４】
本発明のこの目的および他の目的は、請求項１に記載のＭＥＭＳマイクロフォンによって達成される。
【０００５】
本発明の他の特徴およびＭＥＭＳマイクロフォンを動作させるための方法は、他の請求項の主題である。
【課題を解決するための手段】
【０００６】
本発明の中心となる思想は、マイクロフォンに結合可能な周波数を用いてマイクロフォンの動作モードを設定することである。そうするために、ＭＥＭＳマイクロフォンは、外部基準クロック信号を印加するための（マイクロフォンの電気端子である）入力ピンを含む。マイクロフォン内には、印加された外部クロック信号の周波数を検出するためのデジタル周波数検出器が設けられる。内部メモリはマイクロフォン内にあり、複数の周波数閾値と複数のモード設定データセットとを記憶するのに用いられる。
【０００７】
モード設定データセットは、印加された外部クロック信号の周波数によって設定されるモード動作に必要な特定のデータを含む。各モード設定データセットは周波数閾値に割当てられる。
【０００８】
２つの隣接する周波数閾値間に隔たりが設けられる。これにより、それぞれ間違いなく確実に周波数を検出することが可能になり、検出された周波数をそれぞれの周波数閾値に正確に割当てることが可能になる。これは評価回路によって行なわる。評価回路は、検出された周波数または周波数関連データを、記憶された周波数閾値と比較するように適合されており、かつ、記憶されたモード設定データのそれぞれのセットを、検出された周波数および対応する周波数閾値に割当てるように適合されている。
【０００９】
マイクロフォン内の調節回路は、外部クロック信号の周波数に割当てられたモード設定データを用いて、モード設定データと設定すべき所望の動作モードとに従ってマイクロフォンの動作を制御する。
【００１０】
調節回路および評価回路は集積回路で提供されてもよく、したがって物理的に区別不能であってもよい。
【００１１】
このようなマイクロフォンはシステムのセットアップにおいて如何なる変更も必要とせず、フルデジタル周波数検出器が必要なだけである。ＭＥＭＳマイクロフォンと組合わせて用いられる上記のような検出器および関連回路は、マルチモードシステムにおいて単一のマイクロフォンのみの使用を可能にする単純かつ効果的な方法をもたらすことができる。
【００１２】
マイクロフォンに必要な面積と電力消費とが無視できる程度増加するだけで、上記マイクロフォンは製造可能である。このマイクロフォンは非常に堅固であり確実に作動するともに、温度変動、処理、ミスマッチ、機器応力、およびその他多数の外部パラメータなどといった外部パラメータの、如何なる変動からも独立して作動する。
【００１３】
上記マイクロフォンは、少ない手間で高精度に周波数を検出できるよう設計可能であるため、高い精度での提供が可能である。精度と周波数の検出に必要な変換時間とはトレードオフであるため、周波数検出は、外部基準クロック信号に対して、迅速な応答で作動する設定とするか、または確実な応答で作動する設定とするかがあり得る。
【００１４】
新しいマイクロフォンは、周波数検出器以外には如何なる追加のハードウェアも必要としない。なぜなら、このマイクロフォンを動作させるのに必要なすべての機能について既存の構成要素が使用できるからである。
【００１５】
既知のマイクロフォンでは、外部から入力された必要データを記憶する必要があり、内部メモリが必ず存在する。相違点は、モード設定データのセットが複数あり、印加された外部基準クロック信号に従ってモード設定データの所望のセットが選択されるということだけである。
【００１６】
公知のマイクロフォンにおいてもある種の論理回路が存在している。したがって、評価および調節といった追加の機能の実装は、本発明に係るすべての論理演算を行ない得る既存の特定用途向け集積回路（ＡＳＩＣ：application specific integrated circuit）の新たな機能として容易にプログラミング可能である。
【００１７】
本発明の一実施形態では、ＭＥＭＳマイクロフォンは外部クロック信号の周波数検出のための基準として内部クロックを含む。そしてデジタル周波数検出器は、外部クロック信号を、内部クロックによって生成された基準としての内部クロック信号と比較するように適合されている。比較の結果として、評価回路は検出された周波数を閾値に、ひいてはモード設定データの対応するセットに割当てる。中間のステップにおいて、モード信号が検出器によって生成され得る。これは周波数の既定の範囲を含む単位で表現されるよう正確な周波数に大ざっぱに従っているにすぎない。次いで、評価回路は閾値をモード信号に結び付ける。
【００１８】
通常、内部クロックは追加の構成要素ではない。なぜなら、ＭＥＭＳマイクロフォンは既にそのような内部クロックを有するからである。
【００１９】
デジタル周波数検出器は、内部クロック信号のビート（beats）をカウントすることで当該カウントされた内部クロック信号の時間ｔにおける値Ｎ（ｔ）を提供するための第１のカウンタと、外部クロック信号をカウントすることで当該カウントされた外部クロック信号の値Ｍ（ｔ）を提供するための第２のカウンタとを含み得る。内部クロック信号または外部クロック信号のようなクロック信号は、カウント可能な一連のビートのようなものであり、単位時間当たりのビートの数は周波数に対応する。
【００２０】
外部クロック信号の周波数は、２つのカウンタを比較して所与の時間ｔにおける最新の値Ｍ（ｔ）とＮ（ｔ）との差を測定することによって容易に検出可能である。所与の時間ｔは、予め設定された数Ｍに値Ｍ（ｔ）が達した時であってもよい。この時点で、第１のカウンタの最新の値Ｎ（ｔ）は、外部クロック信号の周波数についての測定値と見なされ得る。これが可能なのは、比Ｎ／Ｍが、内部クロック信号と外部クロック信号との周波数の比Ｆ（ｃｌｏｃｋ＿ｉｎｔ）／Ｆ（ｃｌｏｃｋ＿ｅｘｔ）と逆比だからである。外部クロック信号の周波数が検出されると、評価回路は、内部メモリ内に記憶されたデータに従ってそれに閾値を割当てる。したがって周波数検出の精度は、正確な閾値の割当てが可能な程度でよい。測定時間と精度とに比例する値Ｍを高めることによって精度が向上し得る。
【００２１】
内部メモリ内にモード設定データの異なるセットを記憶可能であり、各セットは閾値に割当てられる。モード設定データの選択されたセットを用いて、マイクロフォンの動作が制御可能である。したがって、モード設定データの所望のセットに割当てられマイクロフォンの内部メモリ内に記憶された閾値に従って外部クロックの周波数を選択することによって、所望の動作モードに設定可能である。
【００２２】
上述の内容から分かるように、新しいマイクロフォンをモード設定特徴無しの公知のマイクロフォンと比較すると、新しいマイクロフォンは、当該マイクロフォンに外部クロック信号を印加するために追加のピンを１つしか必要としない。この１つのピンで所望の数の動作モードに設定可能である。動作モード選択のために代替的に用いられ得るとともに、２を底とする所望のモード数の対数に従って多数のピンを必要とし得るデジタル入力と比べて、本発明は非常に実装が単純であり、ピンの増加は無視できるほどである。これに関連して、「ピン」との用語はマイクロフォンの導体パッドまたは別の電気端子に相当する。
【００２３】
以下では、添付の概略図を参照して本発明の実施形態をより詳細に説明する。図面は本発明のより良い理解のためのものであり、マイクロフォンの最も重要な機能のみを示しているが、実際のマイクロフォンは他の構成要素を含む。図はブロック図で示され、各ブロックは一機能に割当てられている。２つ以上のブロック、ひいては２つ以上の機能が１つの構成要素で与えられることも可能である。
【図面の簡単な説明】
【００２４】
【図１】第１の実施形態に係る、モード設定を含むＭＥＭＳマイクロフォンを示す図である。
【図２】本発明の第２の実施形態に係るＭＥＭＳマイクロフォンを示す図である。
【図３】検出器、メモリ、およびマイクロフォンのやり取りを示す図である。
【図４】ＭＥＭＳマイクロフォンを動作させる発明の方法のブロック図である。
【発明を実施するための形態】
【００２５】
図１は、本発明に係るＭＥＭＳマイクロフォンの機能ブロックを示す図である。マイクロフォン１は外部クロック信号ＣＬＫＥＸのための入力ＩＮを含む。マイクロフォン１の内部では、周波数検出器ＤＥＴが外部クロックＣＬＫＥＸの信号と内部クロックＣＬＫＩＮＴの信号とを比較して、その結果を評価回路ＥＶＬに送る。当該結果はモード信号であってもよく、検出された周波数についての測定値である。その精度は設定可能である。評価回路ＥＶＬは、当該結果を内部メモリＭＥＭ内に記憶されたデータと比較する。記憶されたデータは閾値であり、評価回路ＥＶＬは、対応する閾値を外部クロックＣＬＫＥＸの検出された周波数に割当てる。
【００２６】
評価回路内の閾値ＴＲを調節または調整するために較正データＣＤのセットが割当てられ得る。これは、内部クロックＣＬＫＩＮＴの精度が低すぎて検出失敗が起る虞がある場合に必要となり得る。較正データは内部メモリ内に入力され記憶されている。すべての検出器閾値は単一の較正ワードで自動的に調節され得る。
【００２７】
検出器ＤＥＴは連続的に動作するように命令され、追加の動作は不要である。検出された周波数と割当てられた閾値とに従って、調節回路ＡＤＪは、閾値に割当てられ記憶されたモード設定データＭＤを用いて、動作時にマイクロフォンの重要パラメータを制御する。
【００２８】
モード設定データＭＤは、選択された動作モードに従って、マイクロフォンの動作のために必要な重要パラメータを規定し制御する。モード設定データは内部メモリ内に記憶され得る。モードは、所望のタスクに従って、またはマイクロフォンが作動している環境に従って、選択され得る。このような動作モードの各々は、電話、音声録音、音声チャットなどの所与のタスクのために最適化され得る。
【００２９】
パラメータは、マイクロフォンのトランスデューサに印加されたバイアス電圧のレベルを含み得る。他の調節されたパラメータは、アナログまたはデジタルの段におけるマイクロフォン信号の処理を制御し得る。
【００３０】
図２のブロック図は本発明の別の実施形態を示しており、第１の実施形態と比べてより詳細に示している。
【００３１】
このマイクロフォン１は、第１のカウンタＣＮＴ１に内部クロック信号を提供する内部クロックＣＬＫＩＮＴを有する。第２のカウンタＣＮＴ２に送る外部クロック信号を入力するために、外部クロックＣＬＫＥＸがマイクロフォン１の入力ＩＮに結合され得る。第１のカウンタは内部クロックＣＬＫＩＮＴのビートをカウントして値Ｎ（ｔ）を送る。一方、第２のカウンタは外部クロックＣＬＫＥＸのビートをカウントして値Ｍ（ｔ）を提供する。予め設定された条件に応じて、内部クロックＣＬＫＩＮＴの周波数は外部クロックＣＬＫＥＸの周波数よりも高くても低くてもよい。よって、Ｎ（ｔ）はＭ（ｔ）よりも高くても低くてもよい。
【００３２】
ＮおよびＭのカウントアップは、値Ｎ（ｔ）が予め設定された値Ｎと等しくなるまで続行する。処理のこの時点で最新の値Ｍ（ｔ）が固定（frozen）されて論理回路に送られる。この論理回路は、図示されるように一体化した評価および調節回路ＥＡＣであってもよい。
【００３３】
固定された値Ｍ（ｔ）から、外部クロック信号ＣＬＫＥＸの周波数に応じた閾値が計算されて、閾値に割当てられ得る。そして対応する周波数閾値に従って動作モードが設定される。これは評価および調節回路ＥＡＣによって行なわれる。実際には、外部クロックの周波数を正確に検出するために調節可能閾値を用い、モードは変換の結果である。モード設定データはマイクロフォンのパラメータを制御する。
【００３４】
そのため、内部メモリＭＥＭはさまざまなタスクを有する。内部メモリＭＥＭの一部はマイクロフォンの何らかのパラメータを制御する。内部メモリの別の部分は検出器の閾値を較正し、それによってモード信号を評価し、さらにそれによってマイクロフォンの他のパラメータを制御する。そのため、いくつかの静的パラメータＳＰは内部メモリによって直接制御される一方、いくつかの動的パラメータＤＰは、検出器の出力であるモード信号によって制御される。外部周波数の変動があった場合に十分な精度の上記モード信号を得るために、検出器を較正することが必要である。図３は、検出器ＤＥＴと、メモリＭＥＭと、マイクロフォンＭＩＣの残りの部分とのやり取りを概略的に示す。
【００３５】
外部クロック周波数の検出後、２つのカウンタＣＮＴ１、ＣＮＴ２がリセットされて再びゼロからカウントし始め、新たなモード設定信号に応じた外部クロック周波数の変動が起ったか否かを検出する。変動が検出されない場合、マイクロフォンは同じモードＯＭで作動し続ける。別の閾値に係る変動が検出された場合、マイクロフォンの対応する新たな動作モードが設定される。
【００３６】
本実施形態では単純な構成要素が用いられ、それらの構成要素のすべては、図２に示されるすべての必要な機能を提供する集積回路の一部分となり得る。
【００３７】
ＭＥＭＳマイクロフォン１を正確に作動させるためには、非常に精密な内部クロックが必要になるだろう。というのは、検出された周波数の全体的な精密さは、外部クロック周波数を検出するための基準である内部クロックの精密さに依存するからである。精密な内部クロックとは、周波数が確かであるクロックを意味する。精密な内部クロックは高価すぎるであろうから、精密でない内部クロックを較正するための特別な較正方策が開発されてきた。したがって、内部クロックの周波数偏差に依存する検出器のデジタル周波数閾値を調整することによって、不正確な内部クロックの使用が可能である。検出器の動作および調整は共にデジタル領域で行なわれるため、ＭＥＭＳマイクロフォンのマルチモードの機能性を可能にする、安価で非常に無駄を省いた方法が提供される。
【００３８】
上述したように、精密でない内部クロックは調整または較正の必要があり、それは内部クロックの周波数の測定に従って周波数閾値を調整することによって行なわれ得る。この測定は、マイクロフォンを製造した後に１回行なわなければならない。なぜなら、調整または較正データの記憶後には、精密でない内部クロックの使用にも拘らず、周波数検出は製造許容誤差による内部クロックの如何なる周波数ばらつきにも関係無く正確で一貫した結果となるからである。
【００３９】
内部クロックを調整するための第１の方法は、機器の較正段階の際に機器からの内部クロック信号を出力して周波数を測定することである。内部クロックの正確な周波数を知ることは、すべての閾値を調整するのに必要な正確な較正ワードに直接つながる。この方法の軽微な欠点は、内部クロック信号を出力するために追加のピンまたはパッドを用いる必要があること、または、内部クロック信号を出力するために既存のパッドの再利用を可能にする複雑な回路を追加する必要があることに関する。
【００４０】
内部クロックの周波数を調整するための第２の方法によれば、処理パラメータを監視するために製造業者によって評価および調節回路ＥＡＣのスクライブライン内側に配置されたダミー構成要素のうち１つを用いて、内部クロックの周波数に依存する最重要パラメータの変動マップを公称値（nominal value）に基づいて作成する。このマップを用いれば内部クロック周波数が推測可能である。
【００４１】
最後に第３の方法は、機器の何らかの特定のパラメータを監視しながら、一連の近似アルゴリズムによって正確な較正データを探索することからなる。この第３の方法の詳細については後述する。
【００４２】
次いで、上記推測の正確さを検査するために、または正確な較正データを探索するために、調整データのそれぞれの第１のセットが入力され、内部クロックの推定された周波数に従って周波数閾値を調整する。外部クロック周波数が、選択された閾値に従って印加され、次いでこの周波数閾値周辺で掃引（swept）される。新たな動作モードの設定に伴って変化すると想定されるマイクロフォンの物理値は監視される。容易に監視可能なパラメータは、たとえばＭＥＭＳマイクロフォンの電力または電流の消費である。このパラメータの変化が起らない場合、新たな調整データが設定されて外部周波数は選択された周波数閾値周辺で再び掃引され、値の変化が起るか否かが監視される。変化が起らない場合、新たな調整データが設定されて上記処理が繰返される。
【００４３】
選択された閾値が、隣接する閾値からの距離が最も小さく最も密な閾値である場合、すべての閾値が同一の較正データを用いて同時に調整され得る。
【００４４】
たとえば、２．０ＭＨｚのデジタル周波数閾値で動作モードの変化に応じて電力消費が変化するだろうと仮定する。次いで、マイクロフォンに印加された外部クロック周波数が値２．０ＭＨｚ周辺で掃引されて、電流消費の変化が検出されるまで周波数閾値が調整される。値２．０ＭＨｚ周辺で掃引している間、電力消費が同じままであり、電力消費が、動作モードに対応すると予想される値を保つ場合、所望の閾値２．０ＭＨｚは外部クロック周波数に対応するように下げられる。その逆の場合、つまり反対の動作が検出された場合、対応する周波数閾値がより高い値に調節される。この近似アルゴリズムによって、少ないステップで較正ワードの正確な値にたどり着くことができる。
【００４５】
図４は、発明のＭＥＭＳマイクロフォン１の動作方法を示すブロック図である。この方法は、図２に示すマイクロフォンに対応する。したがってこの動作方法は、第１のカウンタＣＮＴ１において内部クロック信号ＣＬＫＩＮＴをカウントすること、および、第２のカウンタＣＮＴ２において外部クロック信号ＣＬＫＥＸＴをカウントすることから始まる。第１のカウンタＣＮＴ１は値Ｎ（ｔ）を比較器に送る。Ｎ（ｔ）がＮに等しい場合、第２のカウンタＣＮＴ２のカウントされた値は固定される。第２のカウンタＣＮＴ２の固定された値Ｍ）は評価回路ＥＶＬに送られる。この回路ＥＶＬにおいて、上記検出または測定された値Ｍは、内部メモリＭＥＭ内に記憶された較正ワードで調節された閾値と比較される。次いで、他の閾値が評価回路ＥＶＬによって計算される。というのは、その周波数は第１の閾値と既定の相互距離にある、または既定の関係にあるからである。
【００４６】
調節回路ＡＤＪはマイクロフォンの動作モードＯＭを管理および制御する。このことは、バイアス電圧を設定することによって、または、マイクロフォントランスデューサＴＲＤの検出されたトランスデューサ信号を増幅しながら増幅器ゲインを設定することによって、行なわれ得る。設定される動作モードは、選択された動作モードにとって重要な他の処理パラメータの変化も含み得る。
【００４７】
本発明に係るＭＥＭＳマイクロフォンは、単一のピンによってＭＥＭＳマイクロフォンの動作の制御を可能にする有効な解決策を提示する。この解決策もまた、時間の点で非常に堅固で信頼性があり、マイクロフォンの作動条件の如何なる変動にも依存しない。さらに、この回路は手間をかけることなく如何なる既存のマイクロフォンインターフェイスにも適用可能である。マイクロフォンの実装面積に無視できるほどの面積を追加するだけでよく、電力消費の増加が非常にわずかで済む。内部クロックのための調整処理を含むので、精度が非常に低い内部クロックの使用が可能になる。この開発された内部クロックの較正方策によって、如何なる追加のピンも必要とすることなく機器の較正時間が短縮される。
【００４８】
他の利点は、マイクロフォンがその内部に取付られるシステムは、通常、モード設定に用いられ得るさまざまなクロック周波数を提供するので、追加のクロックが不要である点である。
【００４９】
本発明は示された実施形態と添付の図面とに限定されない。本発明は特許請求の範囲によってのみ定義され、その最も広い意味に理解および解釈されなければならない。したがって、マイクロフォンおよびマイクロフォンを動作させる処理、ならびにマイクロフォンを較正および調整する処理は、開示された如何なるパラメータまたは値にも限定されず、他のパラメータによっても使用され得る。
【符号の説明】
【００５０】
参照符号のリスト
0006265300.tif 000002
【図１】
0006265300.tif 000003
【図２】
0006265300.tif 000004
【図３】
0006265300.tif 000005
【図４】
0006265300.tif 000006